(57)【特許請求の範囲】
【請求項１】
縦方向に長い長穴とこの長穴の上部方向へ連続して小長穴で切り欠いた係止穴を有する給湯機の壁掛金具と、壁にねじ込む固定ねじとを備え、下方を扇状に切り欠き、固定ねじをねじ穴に誘導する切欠部、壁面に当接する壁面接触部、この壁面接触部のセンタ部分から突出して壁掛金具の前記小長穴と略同一形状を有して支持し、かつ左右への動きを止める支柱部及びこの支柱部より更に突出し、前記長穴の縦方向の長さをなし、前記支柱部を覆ってこの上部に前記壁掛金具の小長穴を係止する支持溝を形成した前面受部を有した壁受具を備え、この壁受具を電気絶縁材で成形した給湯機の壁掛装置。
【発明の詳細な説明】
【０００１】
【産業上の利用分野】
本発明は、給湯機の壁掛装置に関するものである。
【０００２】
【従来の技術】
従来の給湯機は、給湯機の外壁への設置に際しては、図５に示すように、給湯機後部の壁掛金具２１に設けられた穴部２２を介して固定ねじ２３で給湯機２９を外壁３０に固定していた。またメタルラス張りなどの壁に給湯機を取り付ける場合には、電気設備技術基準第１８２条により、給湯機２９とメタルラスとは電気的に接続しないような壁工事が義務づけられていた。
【０００３】
そして、このような場合には、図６及び図７に示すように絶縁材料でつくられた絶縁プレート２４を給湯機後部の壁掛金具２１の穴部２２に挿入し、反対側から絶縁材料でつくられた絶縁ワッシャ２５で壁掛金具２１をはさみ込んだ状態にてねじ止めすることにより、給湯機２９と壁３０とが電気的に接続しないように設置されていた。
【０００４】
【発明が解決しようとする課題】
しかしながら、上記のような構成では、給湯機２９の外壁３０への設置の際にあらかじめ給湯機２９の壁掛金具２１に絶縁プレート２４と絶縁ワッシャ２５をお互いに反対方向からつき合わせてかん合させておき、給湯機２９を設置位置に手で持ちながら固定ねじ２３を通すことによって給湯機２９を設置する必要があるため、一人で設置することが出来なかった。また、給湯機２９の設置位置を決定するまで給湯機２９を手でささえていなければならないという課題もあった。
【０００５】
本発明は上記課題を解決するもので、壁掛金具に絶縁プレートと絶縁ワッシャという２つの部分をかん合させる必要がなく１つの部品で電気絶縁して、また設置時にいちいち給湯機を手でささえている必要がなく円滑に設置工事を行なうことを目的とする。
【０００６】
【課題を解決するための手段】
上記目的を達成するために、本発明の給湯機の壁掛装置は、縦方向の長穴の上部を、前記長穴より小さい小長穴で切欠いた係止穴を有する給湯機の壁掛金具と壁にねじ込む固定ねじを備え、固定ねじを貫通させて上面に載る中央のねじ穴の下方を扇状に切欠き、固定ねじをねじ穴に誘導する切欠部を有し、壁面に当接する壁面接触部と、この壁面接触部のセンタ部分から突出して壁掛金具の前記小長穴と略同一形状を有して支持し、かつ左右への動きを止める支柱部と、支柱部より更に突出し、前記長穴の縦方向の長さをなし、支柱部を覆って支柱部の上部に壁掛金具の小長穴を係止めする支持溝を形成した前面受部を、壁掛金具に挿入し、固定ねじで壁受具と壁掛金具を通して給湯機を外壁に設置するものである。
【０００７】
【作用】
上記構成により、先に壁受具を固定ねじにて壁面に固定し、給湯機の壁掛金具の係止穴を壁受具に通して支持溝へ係止穴が当接するようにつり下げる。それで給湯機が壁面から前方へ移動しようとしても前面受具で止められる。かつ左右への動きも支柱部の側面に係止穴の側面が当たることにより止められる。よって、給湯機を外壁に対して電気絶縁をしながら容易に設置することができる。
【０００８】
【実施例】
以下、本発明の給湯機の壁掛装置の実施例について図面を参照しながら説明する。
【０００９】
図１は本発明の一実施例としての外壁への設置手順を示す給湯機と壁掛金具と壁受具と固定ねじを示す。図２は壁受具の平面図、図３は同壁受具の側面図、図４は外壁への設置状態を示す断面図である。
【００１０】
図１において、縦方向の長穴１１の上部を、前記長穴１１より小さい小長穴１２で切り欠いた係止穴１３を有する壁掛金具１と壁３０にねじ込む固定ねじ２を備え、固定ねじ２を貫通させて上面に載る中央のねじ穴の下方を扇状に切り欠き、固定ねじ２をねじ穴に誘導する切欠部３を有し、壁面３０に当接する壁面接触部４と、この壁面接触部４のセンタ部から突出して壁掛金具１の小長穴１２を略同一形状を有して支持し、かつ左右への動きを止める支柱部５と、支柱部５より更に突出し、前記小長穴１２も含めた縦方向の長さが前記長穴を貫通する外径をなし、支柱部５を前面から覆って支柱部５の上部に壁掛金具１を係止する支持溝７を形成した前面受部６よりなる合成樹脂等の電気絶縁材を用いた壁受具８を備えた給湯機９である。
【００１１】
以上の構成によれば、壁受具８２個を壁掛金具１の係止穴１３の取付ピッチｌに合うように予め壁３０に固定ねじ２で仮止め固定し、次に給湯機９を支持して係止穴１３を前面受部６に挿入し、挿入後給湯機９を下へスライドさせ、壁掛金具１の小長穴１２に支持溝部７が当接すれば、壁受具８に壁掛金具１を吊り下げできる。そして、あらかじめ外壁３０に取付けておいた固定ねじ２を本締めすれば、給湯機９を外壁３０に固定設置することができる。
【００１２】
固定ねじ２を増し締めし、給湯機９が固定ねじ２から外れないようにする際にも、壁受具８が固定ねじ２の回転に伴って回ることがなく円滑に締付けることができる。固定ねじ２のねじ部の外径は切欠部３の巾よりも小さくしておき、仮止めの取付ピッチの狂いは逃げられるようにしておく。勿論、前面受部６の横巾も長穴１１の短径より少し小さ目が良い。これで、固定ねじ２が壁３０内のラス網１４等と接触しても、固定ねじ２は壁受具８で電気的に絶縁でき、給湯機９と壁３０は導通することがない。
【００１３】
【発明の効果】
以上の説明から、本発明の給湯機の壁掛装置は、先に壁受具を固定ねじで壁面に仮締め固定し、器具は単に壁掛金具の係止穴を壁受具の前面受部から支持部へ通して下げればそれで壁面前方への移動は、前面受部で止まり、かつ左右への動きも支柱部の側面と係止穴の側面を当接して止め、その後に固定ねじを本締めすれば、固定ねじは壁掛金具に直接触れないから、固定ねじが壁面内のラス網等の金属に接触しても、壁受具が電気絶縁をすることによって給湯機と壁面の電気的導通を絶縁できる。
【図面の簡単な説明】
【図１】本発明の一実施例における給湯機の壁掛装置の分解外観斜視図
【図２】同装置の壁受具の平面図
【図３】同装置の壁受具の側面図
【図４】同装置を利用して給湯機を取付けた状態の側面図
【図５】従来の給湯機を壁面に取付ける状態を示す外観斜視図
【図６】従来の給湯機の壁掛装置の分解外観斜視図
【図７】同装置の取付け状態を示す側面図
【符号の説明】
１  壁掛金具
２  固定ねじ
３  切欠部
４  壁面接触部
５  支柱部
６  前面受部
７  支持溝
８  壁受具
９  給湯機
１３  係止穴
【図１】
0003651029.tif 000002
【図２】
0003651029.tif 000003
【図３】
0003651029.tif 000004
【図４】
0003651029.tif 000005
【図５】
0003651029.tif 000006
【図６】
0003651029.tif 000007
【図７】
0003651029.tif 000008